(57)【要約】  【課題】  曲がりくねった状態で配置した場合や直線状に配置した場合に、アウターケースの長さを所定範囲内で短くしたり或いは長くすることができるケーブルを提供する。  【解決手段】  湾曲可能に形成されたアウターケース１２内に挿通されたインナーワイヤ１５が両端に係止部１４を有し、両端が所定長だけアウターケース外に出されたケーブルであって、アウターケースの所定位置にはその長さを所定範囲内で短くしたり或いは長くするための長さ調整手段１３が設けられた。【選択図】  図１
2005098373.tif 000002
【特許請求の範囲】
【請求項１】
湾曲可能に形成されたアウターケース内に挿通されたインナーワイヤが両端に係止部を有し、該両端が所定長だけ該アウターケース外に出されたケーブルであって、前記アウターケースの所定位置には、その長さを所定範囲内で短くしたり或いは長くするための長さ調整手段が設けられたことを特徴とするケーブル。
【請求項２】
前記長さ調整手段は、内周に螺子山が形成された第一の管体と、外周に螺子山が設けられた第二の管体及び第三の管体とを有し、
前記第一の管体の螺子山は、一端から中間の所定位置まで正方向に刻設されると共に該所定位置から他端までは逆方向に刻設され、前記第二の管体は、その螺子山が前記第一の管体における正方向の螺子山部分に螺合可能に形成され、前記第三の管体は、その螺子山が前記第一の管体における逆方向の螺子山部分に螺合可能に形成され、
前記第二の管体と前記第三の管体のそれぞれ一端がアウターケースの所定位置に接続され、前記第二の管体と前記第三の管体のそれぞれ他端が、前記第一の管体の両端から螺入されたことを特徴とする請求項１に記載のケーブル。
【発明の詳細な説明】
【技術分野】
【０００１】
本発明は、湾曲可能に形成されたアウターケース内に挿通されたインナーワイヤが両端に係止部を有するケーブルに関する。
【背景技術】
【０００２】
作業員の手を延ばし入れ難い場所にあるロック装置の開閉操作などを行なうために使用されるケーブルとしては、図３に示したように、外周に螺子山が形成された管状の端子５１がアウターケース５２の両端に固定され、このアウターケース５２内に挿通されたインナーワイヤ５３の両端に係止具５４が固定されたものがある。ここで、アウターケース５２は、ステンレス鋼などの金属からなる複数の環状体が嵌合して自在に湾曲させることができるように形成されたパイプであり、曲がりくねった状態で配置された場合には、アウターケース５２の全長は直線状のときよりも若干長くなるものである。
【０００３】
以上のようなケーブル５０は、一端の係止具５４がロック装置の開閉操作部などに係止され、他端の係止具５４を作業員の手指で操作できる場所に配置されるものであり、使用箇所によっては、曲がりくねった状態で配置されることがある。
しかしながら、ケーブル５０では、アウターケース５２と管状端子５１の管内から外側に出たインナーワイヤ５３の長さＬが、あらかじめ設定されているものであるため、アウターケース５２が長くなると、このインナーワイヤ５３の突出部分の長さＬが短くなり、ケーブル５０の操作性が低下したり、使用目的が果せなくなることがある。
【０００４】
なお、本願に関連する特許出願としては、アウターケース内にインナーワイヤが挿通されたケーブルを、車両用シートのスライド操作機構に適用した特許文献１がある。
【０００５】
【特許文献１】特開平１０−４４８４０号公報
【発明の開示】
【発明が解決しようとする課題】
【０００６】
本発明は、このような従来の問題を解決するものであり、曲がりくねった状態で配置したり、あるいは直線状に配置した場合であっても、アウターケース内から外側に出たインナーワイヤの部分を所要の長さ確保することが可能なケーブルを提供することを目的とする。
【課題を解決するための手段】
【０００７】
上記課題を解決するために、本発明では、湾曲可能に形成されたアウターケース内に挿通されたインナーワイヤが両端に係止部を有し、該両端が所定長だけ該アウターケース外に出されたケーブルであって、前記アウターケースの所定位置には、その長さを所定範囲内で短くしたり或いは長くするための長さ調整手段が設けられたことを特徴とするケーブルが提供される。
このように長さ調整手段がアウターケースの所定位置に設けられているので、たとえ、ケーブルを湾曲させた場合にも、この長さ調整手段を操作すればアウターケースを短くすることができて、アウターケースの両端から外側に突出するインナーワイヤの部分を所要の長さだけ確保することが可能になる。
【０００８】
本発明のケーブルにおいて、前記長さ調整手段は、内周に螺子山が形成された第一の管体と、外周に螺子山が設けられた第二の管体及び第三の管体とを有し、前記第一の管体の螺子山は、一端から中間の所定位置まで正方向に刻設されると共に該所定位置から他端までは逆方向に刻設され、前記第二の管体は、その螺子山が前記第一の管体における正方向の螺子山部分に螺合可能に形成され、前記第三の管体は、その螺子山が前記第一の管体における逆方向の螺子山部分に螺合可能に形成され、前記第二の管体と前記第三の管体のそれぞれ一端がアウターケースの所定位置に接続され、前記第二の管体と前記第三の管体のそれぞれ他端が、前記第一の管体の両端から螺入される構成とすることができる。
このように第一の管体の内周には正ネジと逆ネジ、第二の管体の外周には正ネジ、第三の管体の外周には逆ネジがそれぞれ形成されており、第二の管体と第三の管体はそれぞれ一端がアウターケースに固定されているので、第一の管体を所定方向に回せば、第二の管体と第三の管体とはそれぞれ第一の管体の両端から相対的に外側に捩じり出されるように動き、アウターケースの全長は長くなり、一方、第一の管体を逆方向に回せば、第二の管体と第三の管体とはそれぞれ第一の管体の内部に入り込むように動き、アウターケースの全長は短くなる。したがって、本発明のケーブルでは、第一の管体を所定方向に回すだけで、アウターケースの長さを調整することが可能になる。
【発明の効果】
【０００９】
本発明のケーブルは、曲がりくねった状態で配置されたり、あるいは直線状に配置された場合であっても、用途に応じて設置現場で第一の管体を操作するだけで、アウターケースの長さを簡単に調整することができるので、このアウターケースの両端から外側に出たインナーワイヤの部分も、常に所要の長さだけ確実することが可能になった。
【発明を実施するための最良の形態】
【００１０】
以下、図面を参照しながら本発明の実施の形態を説明する。
図１は本発明のケーブル１０の側面図であり、一部分が断面図で表されたものである。この図１において、本発明のケーブル１０は、両端に管状端子１１が固定されたアウターケース１２と、このアウターケース１２の中間の所定位置に接続された長さ調整部材１３と、アウターケース１２内に挿通されると共に両端に係止具１４が固定されたインナーワイヤ１５とを、主要部として備えている。
【００１１】
ここで、アウターケース１２は、ステンレス鋼などの金属からなる複数の環状体が嵌合
して自在に湾曲させることができるように形成されたパイプであり、このアウターケース１２自体は曲がりくねった状態で配設したときに、直線状のときよりも全長が若干長くなるものである。このアウターケース１２の両端に固定された管状端子１１には、外周に螺子山１１ａが形成されており、ここにナット１１ｂなどが螺合されてロック装置などに固定される。
【００１２】
図２（ａ）は長さ調整部材１３が分解された状態を示す斜視図であり、図２（ｂ）は組立てられた状態を示す斜視図である。なお、図１では理解を容易にするために螺子山を省略して図示したが、図２（ａ）（ｂ）では螺子山を図示している。
長さ調整部材１３は、第一の管体１３ａと、第二の管体１３ｂと、第三の管体１３ｃとを備えるものである。第一の管体１３ａは、図１のＡ区間の内周に逆ネジが刻まれ、Ｂ区間の内周には正ネジが刻まれている。第二の管体１３ｂは、第一の管体１３ａのＢ区間に螺合し得るように外周に正ネジが形成され、この正ネジ部分にナット１３ｄが螺合され、一端がアウターケース１２に接続されている。また第三の管体１３ｃは、第一の管体１３ａのＡ区間に螺合し得るように外周に逆ネジが形成され、この逆ネジ部分にナット１３ｅが螺合され、一端がアウターケース１２に接続されている。
【００１３】
以上のような構成の第二の管体１３ｂと第三の管体１３ｃを、それぞれ第一の管体１３ａの両側からねじ入れると、図２（ｂ）のように長さ調整部材１３が組み立てられる。このとき、ナット１３ｄ，１３ｅを第一の管体１３ａに当接する方向に締め込むと、第一の管体１３ａは回転しないように固定され、逆に、ナット１３ｄ，１３ｅを第一の管体１３ａから離す方向に緩めると、第一の管体１３ａは回転操作され得るようになる。
したがって、この長さ調整部材１３を操作するときには、ナット１３ｄ，１３ｅを緩めた後に、第一の管体１３ａを図２（ｂ）の矢印方向に回転させると、第一の管体１３ａの両側から第二の管体１３ｂと第三の管体１３ｃとが捩じり出されるように動き、長さ調整部材１３が長くなることで、その分だけアウターケース１２の全長も長くなる。逆に、第一の管体１３ａを図２（ｂ）の矢印の逆方向に回転させると、第二の管体１３ｂと第三の管体１３ｃとは第一の管体１３ａ内に入り込むように動き、長さ調整部材１３自体が短くなることで、その分だけアウターケース１２の全長が短くなる。以上のようにして、アウターケース１２の全長を長くしたり、短くしたりすることにより、図１で示した長さＬ部分、すなわち、アウターケース１２の両端から外側に出たインナーワイヤ１５の部分も、常に所要の長さだけ確実することが可能になる。
【００１４】
なお、特に限定するわけではないが、それぞれの部材の長さを例示すれば、両端の管状端子１１を含むアウターケース１２の長さは３ｍ〜６ｍ、第一の管体１３ａの長さは１００ｍｍ、第二の管体１３ｂと第三の管体１３ｃにおける螺子山が設けられた部分の長さは５０ｍｍに設定することが可能であり、このように設定した場合、長さ調整部材１３は最大９０ｍｍ程度の範囲で長くしたり、あるいは短くしたりする調整が可能になる。
【図面の簡単な説明】
【００１５】
【図１】本発明のケーブルの側面図であり、一部分が断面図で表されている。
【図２】（ａ）は長さ調整部材が分解された状態を示す斜視図であり、（ｂ）は組立てられた状態を示す斜視図である。
【図３】従来例を示す図である。
【符号の説明】
【００１６】
１０  ケーブル
１１  管状端子
１２  アウターケース
１３  長さ調整部材
１３ａ  第一の管体
１３ｂ  第二の管体
１３ｃ  第三の管体
１４  係止具
１５  インナーワイヤ
【図１】
2005098373.tif 000003
【図２】
2005098373.tif 000004
【図３】
2005098373.tif 000005